【事件の表示】
　特願２０１５−１７７４４９「情報提供システム、情報提供サーバー、情報提供方法、及び情報提供システム用のプログラム」拒絶査定不服審判事件〔平成２９年　３月１６日出願公開、特開２０１７−　５４２８９、請求項の数（１０）〕について、次のとおり審決する。
【結　論】
　原査定を取り消す。
　本願の発明は、特許すべきものとする。
【理　由】
第１．手続の経緯 
　本願は，平成２７年９月９日を出願日とする出願であって，平成２８年９月１４日付けで拒絶理由通知がなされ，同年９月２９日付けで意見書の提出とともに手続補正がなされたが，同年１２月２１日付けで拒絶査定がなされ，これに対して平成２９年１月１６日付けで拒絶査定不服審判請求がなされるとともに同日付けで手続補正がなされたものである。 
 　 
第２．平成２９年１月１６日付けの手続補正（以下，「本件補正」という。）の適否
１．本件補正前及び本件補正後の特許請求の範囲
（本件補正前）
「【請求項１】
　コンテンツに関する情報をユーザーに提供する情報提供システムであって，
　コンテンツを視聴中のユーザーが当該コンテンツ中で興味を有する箇所において前記情報の取得を指示する指示情報を，少なくとも前記指示がされた年月日，及び時刻に対応付けて受け付ける指示受付部と，
　前記ユーザーが視聴している前記コンテンツを特定する情報であるコンテンツ特定情報を，前記指示受付部が少なくとも前記指示情報を受け付けた前記年月日，及び前記時刻に対応づけて取得するコンテンツ特定情報取得部と，
　前記指示情報に応じ，前記年月日，及び前記時刻に対応する前記コンテンツ特定情報により特定される前記コンテンツの内容に関連する情報であるコンテンツ関連情報を取得するコンテンツ関連情報取得部と，
　前記コンテンツ関連情報を解析し，前記コンテンツに特徴的な情報である特徴情報を検索クエリとして生成し，生成した前記検索クエリに前記特徴情報の属性情報を対応付ける検索クエリ生成部と，
　前記属性情報に対応する外部サイトにアクセスし，前記検索クエリを用いて前記指示された時点における前記コンテンツに関連する情報である関連情報を取得する関連情報取得部と，
　前記関連情報取得部が取得した前記関連情報をユーザーが関心を有する複数の群に分類して重み付けする関心領域モデル化部と，
　前記関連情報取得部が取得した前記関連情報を，前記複数の群それぞれに対応付けられた重みの順にリストアップする関心情報リスティング部と，
　前記リストアップされた前記関連情報を含むリスティング情報を前記ユーザーに供給する供給部と
を備える情報提供システム。
　　【請求項２】
　前記検索クエリ生成部が，生成した前記検索クエリに，前記特徴情報の属性に応じた優先順位を対応づけ，
　前記関連情報取得部が，前記特徴情報の属性に応じた優先順位が対応づけられた前記検索クエリを用い，前記関連情報を取得する請求項１に記載の情報提供システム。
　　【請求項３】
　前記ユーザーに供給された過去の前記リスティング情報を履歴情報として格納する履歴格納部
を更に備え，
　前記関心領域モデル化部が，前記関連情報取得部が取得した関連情報を，前記履歴情報に基づいて前記複数の群に分類して重み付けする請求項１又は２に記載の情報提供システム。
　　【請求項４】
　前記履歴格納部が，前記ユーザーとは異なる他のユーザーの前記履歴情報を格納する請求項３に記載の情報提供システム。
　　【請求項５】
　予め指定された外部サイトから前記関連情報を取得し，取得した前記関連情報に当該関連情報が存在する前記外部サイトを特定する外部サイト特定情報を対応付けて保持するインデキシング部
を更に備え，
　前記関連情報取得部が，少なくとも前記関心領域モデル化部における前記複数の群の分類と重み付けとが実行されていない状態において，前記インデキシング部が保持している前記関連情報から前記検索クエリで検索される前記関連情報を取得する請求項１〜４のいずれか１項に記載の情報提供システム。
　　【請求項６】
　前記関連情報取得部が取得した前記関連情報のスコアを算出し，算出した前記スコアに応じて前記関連情報をソートするスコアリング部
を更に備え，
　前記関心情報リスティング部が，前記関連情報を前記ソートの順にリストアップする請求項１〜５のいずれか１項に記載の情報提供システム。
　　【請求項７】
　前記関心領域モデル化部が，前記外部サイトに重み付けし，
　前記関心情報リスティング部が，前記関連情報を，前記複数の群それぞれに対応づけられた重みの順でリストアップし，更に，前記外部サイトの重みに応じて前記関連情報をリストアップする請求項１〜６のいずれか１項に記載の情報提供システム。
　　【請求項８】
　ユーザーにコンテンツに関する情報を提供する情報提供サーバーであって，
　前記ユーザーが視聴しているコンテンツを特定する情報であるコンテンツ特定情報を，
　前記コンテンツを視聴中の前記ユーザーが当該コンテンツ中で興味を有する箇所において前記情報の取得を指示する指示情報であって，少なくとも前記指示がされた年月日，及び時刻に対応づけて受け付けられた前記指示情報を受け付けた前記年月日，及び前記時刻に対応づけて取得するコンテンツ特定情報取得部と，
　前記指示情報に応じ，前記年月日，及び前記時刻に対応する前記コンテンツ特定情報により特定される前記コンテンツの内容に関連する情報であるコンテンツ関連情報を取得するコンテンツ関連情報取得部と，
　前記コンテンツ関連情報を解析し，前記コンテンツに特徴的な情報である特徴情報を検索クエリとして生成し，生成した前記検索クエリに前記特徴情報の属性情報を対応付ける検索クエリ生成部と，
　前記属性情報に対応する外部サイトにアクセスし，前記検索クエリを用いて前記指示された時点における前記コンテンツに関連する情報である関連情報を取得する関連情報取得部と，
　前記関連情報取得部が取得した前記関連情報をユーザーが関心を有する複数の群に分類して重み付けする関心領域モデル化部と，
　前記関連情報取得部が取得した前記関連情報を，前記複数の群それぞれに対応付けられた重みの順にリストアップする関心情報リスティング部と，
　前記リストアップされた前記関連情報を含むリスティング情報を前記ユーザーに供給する供給部と
を備える情報提供サーバー。
　　【請求項９】
　コンテンツに関する情報をユーザーに提供する情報提供システムにおける情報提供方法であって，
　コンテンツを視聴中のユーザーが当該コンテンツ中で興味を有する箇所において前記情報の取得を指示する指示情報を，少なくとも前記指示がされた年月日，及び時刻に対応付けて受け付ける指示受付段階と，
　前記ユーザーが視聴している前記コンテンツを特定する情報であるコンテンツ特定情報を，前記指示受付段階において少なくとも前記指示情報を受け付けた前記年月日，及び前記時刻に対応づけて取得するコンテンツ特定情報取得段階と，
　前記指示情報に応じ，前記年月日，及び前記時刻に対応する前記コンテンツ特定情報により特定される前記コンテンツの内容に関連する情報であるコンテンツ関連情報を取得するコンテンツ関連情報取得段階と，
　前記コンテンツ関連情報を解析し，前記コンテンツに特徴的な情報である特徴情報を検索クエリとして生成し，生成した前記検索クエリに前記特徴情報の属性情報を対応付ける検索クエリ生成段階と，
　前記属性情報に対応する外部サイトにアクセスし，前記検索クエリを用いて前記指示された時点における前記コンテンツに関連する情報である関連情報を取得する関連情報取得段階と，
　前記関連情報取得段階において取得された前記関連情報をユーザーが関心を有する複数の群に分類して重み付けする関心領域モデル化段階と，
　前記関連情報取得段階において取得された前記関連情報を，前記複数の群それぞれに対応付けられた重みの順にリストアップする関心情報リスティング段階と，
　前記リストアップされた前記関連情報を含むリスティング情報を前記ユーザーに供給する供給段階と
を備える情報提供方法。
　　【請求項１０】
　コンテンツに関する情報をユーザーに提供する情報提供システム用のプログラムであって，
　前記情報提供システムに，
　コンテンツを視聴中のユーザーが当該コンテンツ中で興味を有する箇所において前記情報の取得を指示する指示情報を，少なくとも前記指示がされた年月日，及び時刻に対応付けて受け付ける指示受付機能と，
　前記ユーザーが視聴している前記コンテンツを特定する情報であるコンテンツ特定情報を，前記指示受付機能において少なくとも前記指示情報を受け付けた前記年月日，及び前記時刻に対応づけて取得するコンテンツ特定情報取得部と，
　前記指示情報に応じ，前記年月日，及び前記時刻に対応する前記コンテンツ特定情報により特定される前記コンテンツの内容に関連する情報であるコンテンツ関連情報を取得するコンテンツ関連情報取得機能と，
　前記コンテンツ関連情報を解析し，前記コンテンツに特徴的な情報である特徴情報を検索クエリとして生成し，生成した前記検索クエリに前記特徴情報の属性情報を対応付ける検索クエリ生成機能と，
　前記属性情報に対応する外部サイトにアクセスし，前記検索クエリを用いて前記指示された時点における前記コンテンツに関連する情報である関連情報を取得する関連情報取得機能と，
　前記関連情報取得機能において取得された前記関連情報をユーザーが関心を有する複数の群に分類して重み付けする関心領域モデル化機能と，
　前記関連情報取得機能において取得された前記関連情報を，前記複数の群それぞれに対応付けられた重みの順にリストアップする関心情報リスティング機能と，
　前記リストアップされた前記関連情報を含むリスティング情報を前記ユーザーに供給する供給機能と
を実現させる情報提供システム用のプログラム。」
　　
（本件補正後）
「【請求項１】
　コンテンツに関する情報をユーザーに提供する情報提供システムであって，
　
放送若しくは配信されている
日及
　前記ユーザーが視聴している前記コンテンツを特定する情報であるコンテンツ特定情報を，前記指示受付部が少なくとも前記指示情報を受け付けた前記年月
日及
　前記指示情報
が受け付けられた
日及
が対応付けられた
　前記コンテンツ関連情報を解析し，前記コンテンツに特徴的な情報である特徴情報を検索クエリとして生成し，生成した前記検索クエリに前記特徴情報の属性情報を対応付ける検索クエリ生成部と，
　前記属性情報に対応する外部サイトにアクセスし
，前
ユーザーが前記
し
で前記放送若しくは配信されている
，前記検索クエリを用いて
　前記関連情報取得部が取得した前記関連情報をユーザーが関心を有する複数の群に分類して重み付けする関心領域モデル化部と，
　前記関連情報取得部が取得した前記関連情報を，前記複数の群それぞれに対応付けられた重みの順にリストアップする関心情報リスティング部と，
　前記リストアップされた前記関連情報を含むリスティング情報を前記ユーザーに供給する供給部と
を備える情報提供システム。
　　【請求項２】
　前記検索クエリ生成部が，生成した前記検索クエリに，前記特徴情報の属性に応じた優先順位を対応づけ，
　前記関連情報取得部が，前記特徴情報の属性に応じた優先順位が対応づけられた前記検索クエリを用い，前記関連情報を取得する請求項１に記載の情報提供システム。
　　【請求項３】
　前記ユーザーに供給された過去の前記リスティング情報を履歴情報として格納する履歴格納部
を更に備え，
　前記関心領域モデル化部が，前記関連情報取得部が取得した関連情報を，前記履歴情報に基づいて前記複数の群に分類して重み付けする請求項１又は２に記載の情報提供システム。
　　【請求項４】
　前記履歴格納部が，前記ユーザーとは異なる他のユーザーの前記履歴情報を格納する請求項３に記載の情報提供システム。
　　【請求項５】
　予め指定された外部サイトから前記関連情報を取得し，取得した前記関連情報に当該関連情報が存在する前記外部サイトを特定する外部サイト特定情報を対応付けて保持するインデキシング部
を更に備え，
　前記関連情報取得部が，少なくとも前記関心領域モデル化部における前記複数の群の分類と重み付けとが実行されていない状態において，前記インデキシング部が保持している前記関連情報から前記検索クエリで検索される前記関連情報を取得する請求項１〜４のいずれか１項に記載の情報提供システム。
　　【請求項６】
　前記関連情報取得部が取得した前記関連情報のスコアを算出し，算出した前記スコアに応じて前記関連情報をソートするスコアリング部
を更に備え，
　前記関心情報リスティング部が，前記関連情報を前記ソートの順にリストアップする請求項１〜５のいずれか１項に記載の情報提供システム。
　　【請求項７】
　前記関心領域モデル化部が，前記外部サイトに重み付けし，
　前記関心情報リスティング部が，前記関連情報を，前記複数の群それぞれに対応づけられた重みの順でリストアップし，更に，前記外部サイトの重みに応じて前記関連情報をリストアップする請求項１〜６のいずれか１項に記載の情報提供システム。
　　【請求項８】
　ユーザーにコンテンツに関する情報を提供する情報提供サーバーであって，
　前記ユーザーが視聴している
放送若しくは配信されている
日及
日及
　前記指示情報
が受け付けられた
日及
が対応付けられた
　前記コンテンツ関連情報を解析し，前記コンテンツに特徴的な情報である特徴情報を検索クエリとして生成し，生成した前記検索クエリに前記特徴情報の属性情報を対応付ける検索クエリ生成部と，
　前記属性情報に対応する外部サイトにアクセスし
，前
ユーザーが前記
し
で前記放送若しくは配信されている
，前記検索クエリを用いて
　前記関連情報取得部が取得した前記関連情報をユーザーが関心を有する複数の群に分類して重み付けする関心領域モデル化部と，
　前記関連情報取得部が取得した前記関連情報を，前記複数の群それぞれに対応付けられた重みの順にリストアップする関心情報リスティング部と，
　前記リストアップされた前記関連情報を含むリスティング情報を前記ユーザーに供給する供給部と
を備える情報提供サーバー。
　　【請求項９】
　コンテンツに関する情報をユーザーに提供する情報提供システムにおける情報提供方法であって，
　
放送若しくは配信されている
日及
　前記ユーザーが視聴している前記コンテンツを特定する情報であるコンテンツ特定情報を，前記指示受付段階において少なくとも前記指示情報を受け付けた前記年月
日及
　前記指示情報
が受け付けられた
日及
が対応付けられた
　前記コンテンツ関連情報を解析し，前記コンテンツに特徴的な情報である特徴情報を検索クエリとして生成し，生成した前記検索クエリに前記特徴情報の属性情報を対応付ける検索クエリ生成段階と，
　前記属性情報に対応する外部サイトにアクセスし
，前
ユーザーが前記
し
で前記放送若しくは配信されている
，前記検索クエリを用いて
　前記関連情報取得段階において取得された前記関連情報をユーザーが関心を有する複数の群に分類して重み付けする関心領域モデル化段階と，
　前記関連情報取得段階において取得された前記関連情報を，前記複数の群それぞれに対応付けられた重みの順にリストアップする関心情報リスティング段階と，
　前記リストアップされた前記関連情報を含むリスティング情報を前記ユーザーに供給する供給段階と
を備える情報提供方法。
　　【請求項１０】
　コンテンツに関する情報をユーザーに提供する情報提供システム用のプログラムであって，
　前記情報提供システムに，
　
放送若しくは配信されている
日及
　前記ユーザーが視聴している前記コンテンツを特定する情報であるコンテンツ特定情報を，前記指示受付機能において少なくとも前記指示情報を受け付けた前記年月
日及
　前記指示情報
が受け付けられた
日及
が対応付けられた
　前記コンテンツ関連情報を解析し，前記コンテンツに特徴的な情報である特徴情報を検索クエリとして生成し，生成した前記検索クエリに前記特徴情報の属性情報を対応付ける検索クエリ生成機能と，
　前記属性情報に対応する外部サイトにアクセスし
，前
ユーザーが前記
し
で前記放送若しくは配信されている
，前記検索クエリを用いて
　前記関連情報取得機能において取得された前記関連情報をユーザーが関心を有する複数の群に分類して重み付けする関心領域モデル化機能と，
　前記関連情報取得機能において取得された前記関連情報を，前記複数の群それぞれに対応付けられた重みの順にリストアップする関心情報リスティング機能と，
　前記リストアップされた前記関連情報を含むリスティング情報を前記ユーザーに供給する供給機能と
を実現させる情報提供システム用のプログラム。」（なお，下線は補正箇所を示すものとして請求人が付加したものである。）
    　
２．補正の内容
（１）請求項１について
　本件補正は，特許請求の範囲の請求項１を，
「コンテンツ」について，「放送若しくは配信されているコンテンツ」とする補正（以下，「補正事項１」という。），
　また，「年月日，及び時刻」及び「前記年月日，及び前記時刻」について，「年月日及び時刻」及び「前記年月日及び前記時刻」とする補正（以下，「補正事項２」という。），
　また，「前記指示情報に応じ，前記年月日，及び前記時刻に対応する前記コンテンツ特定情報」について，「前記指示情報が受け付けられた前記年月日及び前記時刻が対応付けられた前記コンテンツ特定情報」とする補正（以下，「補正事項３」という。），
　また，「前記検索クエリを用いて前記指示された時点における前記コンテンツに関連する情報である関連情報を取得する」について，「前記ユーザーが前記指示した時点で前記放送若しくは配信されている前記コンテンツに関連する情報である関連情報を，前記検索クエリを用いて取得する」とする補正（以下，「補正事項４」という。）
を含んでいる。
（２）請求項８について
　本件補正は，特許請求の範囲の請求項８を，
「コンテンツ」について，「放送若しくは配信されているコンテンツ」とする補正（以下，「補正事項５」という。），
　また，「年月日，及び時刻」及び「前記年月日，及び前記時刻」について，「年月日及び時刻」及び「前記年月日及び前記時刻」とする補正（以下，「補正事項６」という。），
　また，「前記指示情報に応じ，前記年月日，及び前記時刻に対応する前記コンテンツ特定情報」について，「前記指示情報が受け付けられた前記年月日及び前記時刻が対応付けられた前記コンテンツ特定情報」とする補正（以下，「補正事項７」という。），
　また，「前記検索クエリを用いて前記指示された時点における前記コンテンツに関連する情報である関連情報を取得する」について，「前記ユーザーが前記指示した時点で前記放送若しくは配信されている前記コンテンツに関連する情報である関連情報を，前記検索クエリを用いて取得する」とする補正（以下，「補正事項８」という。）
を含んでいる。
（３）請求項９について
　本件補正は，特許請求の範囲の請求項９を，
　「コンテンツ」について，「放送若しくは配信されているコンテンツ」とする補正（以下，「補正事項９」という。），
　また，「年月日，及び時刻」及び「前記年月日，及び前記時刻」について，「年月日及び時刻」及び「前記年月日及び前記時刻」とする補正（以下，「補正事項１０」という。），
　また，「前記指示情報に応じ，前記年月日，及び前記時刻に対応する前記コンテンツ特定情報」について，「前記指示情報が受け付けられた前記年月日及び前記時刻が対応付けられた前記コンテンツ特定情報」とする補正（以下，「補正事項１１」という。），
　また，「前記検索クエリを用いて前記指示された時点における前記コンテンツに関連する情報である関連情報を取得する」について，「前記ユーザーが前記指示した時点で前記放送若しくは配信されている前記コンテンツに関連する情報である関連情報を，前記検索クエリを用いて取得する」とする補正（以下，「補正事項１２」という。）
を含んでいる。
（４）請求項１０について
　本件補正は，特許請求の範囲の請求項１０を，
　「コンテンツ」について，「放送若しくは配信されているコンテンツ」とする補正（以下，「補正事項１３」という。），
　また，「年月日，及び時刻」及び「前記年月日，及び前記時刻」について，「年月日及び時刻」及び「前記年月日及び前記時刻」とする補正（以下，「補正事項１４」という。），
　また，「前記指示情報に応じ，前記年月日，及び前記時刻に対応する前記コンテンツ特定情報」について，「前記指示情報が受け付けられた前記年月日及び前記時刻が対応付けられた前記コンテンツ特定情報」とする補正（以下，「補正事項１５」という。），
　また，「前記検索クエリを用いて前記指示された時点における前記コンテンツに関連する情報である関連情報を取得する」について，「前記ユーザーが前記指示した時点で前記放送若しくは配信されている前記コンテンツに関連する情報である関連情報を，前記検索クエリを用いて取得する」とする補正（以下，「補正事項１６」という。）
を含んでいる。
　　
３．補正の適否
（１）請求項１について
　本件補正による補正事項１は，請求項１に記載した発明を特定するために必要な事項である「コンテンツ」について，明細書の第【００２０】段落等の記載に基づき「放送若しくは配信されている」ものであるとの限定を付加するものである。
　また，本件補正による補正事項２は，請求項１に記載した発明を特定するために必要な事項である「年月日，及び時刻」及び「前記年月日，及び前記時刻」について，明細書の第【００３２】，【００３３】，【００３５】，【００３６】段落等の記載に基づき，上記「年月日」と「時刻」が共に必須の構成であるとして「年月日及び時刻」及び「前記年月日及び前記時刻」と限定するものである。
　また，本件補正による補正事項３は，請求項１に記載した発明を特定するために必要な事項である「前記指示情報に応じ，前記年月日，及び前記時刻に対応する前記コンテンツ特定情報」について，明細書の第【００４２】段落等の記載及び上記補正事項２の補正の根拠に基づき「前記指示情報が受け付けられた前記年月日及び前記時刻が対応付けられた前記コンテンツ特定情報」と限定するものである。
　また，本件補正による補正事項４は，請求項１に記載した発明を特定するために必要な事項である「前記検索クエリを用いて前記指示された時点における前記コンテンツに関連する情報である関連情報を取得する」について，明細書の第【００４７】段落等の記載及び上記補正事項１の補正の根拠に基づき「前記ユーザーが前記指示した時点で前記放送若しくは配信されている前記コンテンツに関連する情報である関連情報を，前記検索クエリを用いて取得する」と限定するものである。
　そして，本件補正前の請求項１に記載された発明と本件補正後の請求項１に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項１に記載された発明（以下，「補正発明１」という。）が特許法第１７条の２第６項において準用する同法第１２６条第７項の規定に適合するか（特許出願の際独立して特許を受けることができるものであるか）について以下に検討する。
ア．引用例
（ア）原査定の拒絶の理由に引用された特開２０１３−２０１７１０号（以下，「引用例１」という。）には，図面とともに，次の事項が記載されている。なお，下線は当審において付与したものである。
ａ．「【発明を実施するための形態】
【００１０】
　以下，実施の形態について図面を参照して説明する。　
　図１は，実施形態に係る電子機器の外観を示す斜視図である。この
電子機器は，例えばデジタル放送受信機１１として実現されている
【００１１】
　図２は，デジタル放送受信機１１のシステム構成の例を示す。　
　
デジタル放送受信機１１は，例えば，テレビモジュール１０１，ウェブブラウザモジュール１０２，液晶ディスプレイ（ＬＣＤ）１０３，ルータ１０４，スピーカ１０５，放送信号入力端子１０７等を備える
【００１２】
　
放送信号入力端子１０７には，地上波デジタル放送受信用アンテナ１０６が接続される
　【００１３】
　
テレビモジュール１０１は，放送信号入力端子１０７を介して受信されるテレビジョン放送信号を用いて，放送されているテレビ番組の映像と音声とを出力するテレビ機能を有する。テレビモジュール１０１は，例えば，チューナ１１１，テレビ統合型プロセッサ（テレビＳｏＣ（System-on-a-Chip））１１２，ＲＡＭ１１３，リモコン受光部１１４等を備える
　　
ｂ．「【００２０】
　図３は，
テレビモジュール１０１の機能構成を示す。テレビＳｏＣ１１２は，放送波処理部２０１，映像処理部２０２，制御部２０３，ＨＤＭＩ受信部２０４，モジュール間通信部２０５，ＨＤＭＩ端子２０６，ＬＡＮ端子２０７等を備える
【００２１】
　放送波処理部２０１は，チューナ１１１によって受信及び選局されたテレビジョン放送信号を復調し，放送番組の映像データ及び音声データと，電子番組ガイド（ＥＰＧ）を表示するための情報を含む番組配列情報（ＳＩ：service information）とを抽出する。放送波処理部２０１は，抽出された映像データ及び音声データと番組配列情報とを映像処理部２０２に出力する。
【００２２】
　また，ＨＤＭＩ受信部２０４は，ＨＤＭＩ端子２０６を介して外部映像データ及び外部音声データを受信する。ＨＤＭＩ受信部２０４は，例えば，ＨＤＭＩ端子２０６を介して接続されたウェブブラウザモジュール１０２から外部映像データ及び外部音声データを受信する。ＨＤＭＩ受信部２０４は，受信した外部映像データ及び外部音声データを映像処理部２０２に出力する。
【００２３】
　映像処理部２０２は，放送波処理部２０１によって出力された映像データを用いて映像をＬＣＤ１０３に表示する第１処理，又はＨＤＭＩ受信部２０４によって出力された外部映像データを用いて映像をＬＣＤ１０３に表示する第２処理のいずれかを実行する。これら第１処理及び第２処理では，それぞれ対象の映像データにデコード等の所定のデジタル信号処理が施される。以下では，第１処理によって表示される第１映像をテレビ画面と称し，また，第２処理によって表示される第２映像をウェブブラウザ画面とも称する。映像処理部２０２は，例えば，制御部２０３による要求に応じて，第１処理と第２処理のいずれかを選択することによって，テレビ画面とウェブブラウザ画面のいずれかをＬＣＤ１０３に表示する。なお，第１処理ではさらに，放送波処理部２０１によって出力された音声データを用いて音声をスピーカ１０５に出力してもよい。また，第２処理ではさらに，ＨＤＭＩ受信部２０４によって出力された外部音声データを用いて音声をスピーカ１０５に出力してもよいし，放送波処理部２０１によって出力された音声データを用いて音声をスピーカ１０５に出力してもよい。　
　映像処理部２０２は，さらに，放送波処理部２０１によって出力された番組配列情報（ＳＩ）を制御部２０３に出力する。
【００２４】
　
制御部２０３は，テレビＳｏＣ１０１内の各部の動作を制御する。制御部２０３は，ＥＰＧ処理部２０３Ａ，検索指示部２０３Ｂ，ユーザ操作処理部２０３Ｃ等を備える
　
ＥＰＧ処理部２０３Ａは，映像処理部２０２によって出力された番組配列情報（ＳＩ）から，ＥＰＧを表示するための情報を抽出する。ＥＰＧ処理部２０３Ａは，例えば，ＳＩからイベント情報テーブル（event information table：ＥＩＴ）を抽出する。このＥＩＴでは，番組（イベント）毎に，開始時刻，番組長，番組名，出演者名，番組のジャンル等のＥＰＧ情報が記述される。ＥＰＧ処理部２０３Ａは，このＥＰＧ情報をＲＡＭ１１３等に格納することによって，ＥＰＧ情報を蓄積する
【００２５】
　
ユーザ操作処理部２０３Ｃは，リモコン受光部１１４によって受信される各種の制御信号に応じて，その制御信号に関連付けられた処理を実行する
【００２６】
　例えば，ユーザ操作処理部２０３Ｃは，放送番組が視聴されている間に，リモコン受光部１１４によってチャンネル切換を示す制御信号が出力されたことに応じて，切換後のチャンネルに対応するテレビジョン放送信号を選局することをチューナ１１１に要求する。また，ユーザ操作処理部２０３Ｃは，ウェブブラウザ画面が表示されている間に，リモコン受光部１１４によってチャンネル切換を示す制御信号が出力されたことに応じて，切換後のチャンネルに対応するテレビジョン放送信号を選局することをチューナ１１１に要求すると共に，ＬＣＤ１０３に表示される画面をウェブブラウザ画面からテレビ画面に切り換えることを映像処理部２０２に要求する。
【００２７】
　また，例えば，
ユーザ操作処理部２０３Ｃは，放送番組が視聴されている間に（すなわち，テレビ画面が表示されている間に），リモコン受光部１１４によってウェブ検索を示す制御信号が出力されたことに応じて，視聴中の番組に関するウェブ検索が要求されたことを検索指示部２０３Ｂに通知すると共に，ＬＣＤ１０３に表示される画面をテレビ画面からウェブブラウザ画面に切り換えること（すなわち，第１処理から第２処理に切り換えること）を映像処理部２０２に要求する。
【００２８】
　ユーザ操作処理部２０３Ｃは，さらに，ウェブブラウザ画面が表示されている間に，画面内のオブジェクト（例えば，ボタン，入力エリア，ウェブページへのリンク等）に対する操作を示す制御信号が出力されたことに応じて，当該操作内容を示す情報を検索指示部２０３Ｃに通知する。このオブジェクトに対する操作は，例えば，メニュー画面に対する操作のように，上下左右を示す操作や決定を示す操作等である。
【００２９】
　同様にして，ユーザ操作処理部２０３Ｃは，リモコン受光部１１４からユーザ操作処理部２０３Ｃに出力される制御信号に応じて，音量の変更，入力信号の切換，画面内のオブジェクト（ＧＵＩ）の操作等のための処理をテレビモジュール１０１内の各部に要求する。
【００３０】
　
検索指示部２０３Ｂは，ユーザ操作処理部２０３Ｃによるウェブ検索要求の通知に応じて，視聴中の番組に関するウェブ検索を，内部ＬＡＮ接続を介してウェブブラウザモジュール１０２に要求する
　　
ｃ．「【００３４】
　次いで，図４を参照して，
ウェブブラウザモジュール１０２の機能構成について説明する。ＣＰＵ１２１（ＣＰＵ１２１によって実行されるウェブブラウザアプリケーションプログラム１２３Ａ）は，ＨＴＭＬページ生成部３０１，キーワード解析部３０２，インターネット検索部３０３，モジュール間通信部３０４，表示制御部３０５等を備える
【００３５】
　モジュール間通信部３０４は，ＬＡＮ端子３０８を介して接続（内部ＬＡＮ接続）されているテレビモジュール１０１との通信を制御する。テレビモジュール１０１のＬＡＮ端子２０７とウェブブラウザモジュール１０２のＬＡＮ端子３０８とは，例えば，ＬＡＮケーブルで接続されている。モジュール間通信部３０４は，例えば，ウェブ検索要求，番組情報，ウェブブラウザ画面に対する操作を示す操作情報等を含むデータをテレビモジュール１０１から受信する。モジュール間通信部３０４は，受信したデータをＨＴＭＬページ生成部３０１に出力する。
【００３６】
　以下では，まず，
モジュール間通信部３０４によって出力されたウェブ検索要求を受信した際の，ウェブブラウザモジュール１０２の動作について説明する
　ＨＴＭＬページ生成部３０１は，モジュール間通信部３０４によって出力されたウェブ検索要求に応じて，例えばＨＴＭＬ形式のウェブページを生成する。より具体的には，ＨＴＭＬページ生成部３０１は，ウェブ検索要求に応じて，検索中であることを示すウェブページ（以下，検索中ページとも称する）を生成する。ＨＴＭＬページ生成部３０１は，生成された検索中ページを表示制御部３０５に出力する。
【００３７】
　次いで，
ＨＴＭＬページ生成部３０１は，視聴中の番組に関するウェブ検索結果を含むウェブページを生成する。より具体的には，ＨＴＭＬページ生成部３０１は，視聴中の番組に関連付けられた番組情報の送信を，内部ＬＡＮ接続を介してテレビモジュール１０１（検索指示部２０３Ｂ）に要求する。ＨＴＭＬページ生成部３０１は，テレビモジュール１０１によって送信された番組情報を取得する。そして，ＨＴＭＬページ生成部３０１は，取得した番組情報をキーワード解析部３０２に出力する
【００３８】
　
キーワード解析部３０２は，ＨＴＭＬページ生成部３０１によって出力された番組情報を解析することによって，視聴中の番組に関するキーワードを抽出する
【００３９】
　
ＨＴＭＬページ生成部３０１は，キーワード解析部３０２によって抽出されたキーワードの内の特定のキーワード（第１キーワード）をインターネット検索部３０３に出力する
【００４０】
　インターネット検索部３０３は，ＨＴＭＬページ生成部３０１によって出力されたキーワードを用いてウェブ検索を行う。インターネット検索部３０３は，例えば，ＬＡＮ接続されたルータ１０４を介してインターネットにアクセスする。
インターネット検索部３０１は，上記の特定のキーワードを検索語として，インターネット上の所定のサーバ装置（ウェブ検索サイト）に送信することによって，このキーワードに関する情報を取得する
これにより，インターネット検索部３０３は，キーワードに関連するウェブサイトの情報（例えば，ウェブサイトのＵＲＬ，ウェブサイト内のテキストの一部）等を含む検索結果を取得する。インターネット検索部３０３は，取得した検索結果をＨＴＭＬページ生成部３０１に出力する
【００４１】
　
ＨＴＭＬページ生成部３０１は，インターネット検索部３０３によって出力された検索結果を用いて，ウェブページ（以下，検索結果ページとも称する）を生成する
ＨＴＭＬページ生成部３０１は，生成された検索結果ページを表示制御部３０５に出力する
【００４２】
　
表示制御部３０５は，ＨＴＭＬページ生成部３０１によって出力されたウェブページ（検索中ページ，検索結果ページ等）を表示するための外部映像データを生成する。表示制御部３０５は，生成された外部映像データをＨＤＭＩ送信部３０６に出力する
【００４３】
　
ＨＤＭＩ送信部３０６は，表示制御部３０５によって出力された外部映像データを，ＨＤＭＩ端子３０７を介して接続（ＨＤＭＩ接続）されているテレビモジュール１０１（ＨＤＭＩ受信部２０４）に送信する
テレビモジュール１０１では，この外部映像データを用いてＬＣＤ１０３にウェブブラウザ画面が表示される
　　・・・（途中省略）・・・
【００４８】
　次いで，図５を参照して，ＬＣＤ１０３上に，テレビ画面５とウェブブラウザ画面６とが切り換えて表示される例について説明する。例えば，ユーザが，テレビ画面５で「ニュースＸ」という番組を視聴しているときに，ウェブ検索を要求する操作を行ったことに応じて，番組情報検索ページを含むウェブブラウザ画面６が表示される。
このウェブブラウザ画面（番組情報検索ページ）６は，例えば，視聴中の番組に対応するＥＰＧ情報に含まれる番組名が表示される番組名エリア６１，当該ＥＰＧ情報に含まれる出演者名のリストが表示される出演者名エリア６２，ウェブ検索に用いられるキーワードが入力されるキーワードエリア６３，及びウェブ検索結果が表示される検索結果エリア６４を含む
　
ｄ．【図５】
　
　ここでは，検索結果エリア６４に複数の検索結果のリストが表示されている。
  　
ｅ．以上のａ〜ｄの記載によれば，引用例１には以下の発明（以下，「引用発明」という。）が記載されているものと認められる。
「電子機器であって，デジタル放送受信機１１として実現され，
　デジタル放送受信機１１は，
　テレビモジュール１０１，ウェブブラウザモジュール１０２，液晶ディスプレイ（ＬＣＤ）１０３，ルータ１０４，スピーカ１０５，放送信号入力端子１０７等を備え，
放送信号入力端子１０７には，地上波デジタル放送受信用アンテナ１０６が接続され，
　テレビモジュール１０１は，
　放送信号入力端子１０７を介して受信されるテレビジョン放送信号を用いて，放送されているテレビ番組の映像と音声とを出力するテレビ機能を有し，
　チューナ１１１，テレビ統合型プロセッサ（テレビＳｏＣ（System-on-a-Chip））１１２，ＲＡＭ１１３，リモコン受光部１１４等を備え，
　テレビＳｏＣ１１２は，放送波処理部２０１，映像処理部２０２，制御部２０３，ＨＤＭＩ受信部２０４，モジュール間通信部２０５，ＨＤＭＩ端子２０６，ＬＡＮ端子２０７等を備え，
　制御部２０３は，テレビＳｏＣ１０１内の各部の動作を制御し，制御部２０３は，ＥＰＧ処理部２０３Ａ，検索指示部２０３Ｂ，ユーザ操作処理部２０３Ｃ等を備え，　
　ＥＰＧ処理部２０３Ａは，映像処理部２０２によって出力された番組配列情報（ＳＩ）から，ＥＰＧを表示するための情報を抽出し，番組（イベント）毎に，開始時刻，番組長，番組名，出演者名，番組のジャンル等のＥＰＧ情報をＲＡＭ１１３等に格納することによって，ＥＰＧ情報を蓄積するものであり，
　ユーザ操作処理部２０３Ｃは，リモコン受光部１１４によって受信される各種の制御信号に応じて，その制御信号に関連付けられた処理を実行するものであり，放送番組が視聴されている間に（すなわち，テレビ画面が表示されている間に），リモコン受光部１１４によってウェブ検索を示す制御信号が出力されたことに応じて，視聴中の番組に関するウェブ検索が要求されたことを検索指示部２０３Ｂに通知すると共に，ＬＣＤ１０３に表示される画面をテレビ画面からウェブブラウザ画面に切り換えること（すなわち，第１処理から第２処理に切り換えること）を映像処理部２０２に要求するものであり，
　検索指示部２０３Ｂは，ユーザ操作処理部２０３Ｃによるウェブ検索要求の通知に応じて，視聴中の番組に関するウェブ検索を，内部ＬＡＮ接続を介してウェブブラウザモジュール１０２に要求するものであり，
　ウェブブラウザモジュール１０２は，
　ＣＰＵ１２１（ＣＰＵ１２１によって実行されるウェブブラウザアプリケーションプログラム１２３Ａ）を備え，
　ＣＰＵ１２１は，ＨＴＭＬページ生成部３０１，キーワード解析部３０２，インターネット検索部３０３，モジュール間通信部３０４，表示制御部３０５等を備え，
　前記ウェブ検索要求を受信した際に，
　ＨＴＭＬページ生成部３０１は，視聴中の番組に関連付けられた番組情報の送信を，内部ＬＡＮ接続を介してテレビモジュール１０１（検索指示部２０３Ｂ）に要求し，テレビモジュール１０１によって送信された番組情報を取得し，取得した番組情報をキーワード解析部３０２に出力するものであり，
　キーワード解析部３０２は，ＨＴＭＬページ生成部３０１によって出力された番組情報を解析することによって，視聴中の番組に関するキーワードを抽出し，
　ＨＴＭＬページ生成部３０１は，キーワード解析部３０２によって抽出されたキーワードの内の特定のキーワード（第１キーワード）をインターネット検索部３０３に出力し，
　インターネット検索部３０３は，上記の特定のキーワードを検索語として，インターネット上の所定のサーバ装置（ウェブ検索サイト）に送信することによって，キーワードに関連するウェブサイトの情報（例えば，ウェブサイトのＵＲＬ，ウェブサイト内のテキストの一部）等を含む検索結果を取得し，取得した検索結果をＨＴＭＬページ生成部３０１に出力し，
　ＨＴＭＬページ生成部３０１は，インターネット検索部３０３によって出力された検索結果を用いて，ウェブページ（以下，検索結果ページとも称する）を生成し，生成された検索結果ページを表示制御部３０５に出力するものであり，
　表示制御部３０５は，ＨＴＭＬページ生成部３０１によって出力されたウェブページ（検索中ページ，検索結果ページ等）を表示するための外部映像データを生成し，生成された外部映像データをＨＤＭＩ送信部３０６に出力し，
　ＨＤＭＩ送信部３０６は，表示制御部３０５によって出力された外部映像データを，ＨＤＭＩ端子３０７を介して接続（ＨＤＭＩ接続）されているテレビモジュール１０１（ＨＤＭＩ受信部２０４）に送信し，
　テレビモジュール１０１では，この外部映像データを用いてＬＣＤ１０３にウェブブラウザ画面が表示され，
　このウェブブラウザ画面（番組情報検索ページ）６は，例えば，視聴中の番組に対応するＥＰＧ情報に含まれる番組名が表示される番組名エリア６１，当該ＥＰＧ情報に含まれる出演者名のリストが表示される出演者名エリア６２，ウェブ検索に用いられるキーワードが入力されるキーワードエリア６３，及びウェブ検索結果が表示される検索結果エリア６４を含み，当該検索結果エリア６４には複数の検索結果のリストが表示される，
電子機器。」
   　
（イ）原査定の拒絶の理由に引用された特開２００４−１１８４７９号公報（以下，「引用例２」という。）には，図面とともに，次の事項が記載されている。なお，下線は当審において付与したものである。
ａ．「【０００５】
【発明が解決しようとする課題】
　
ネットワークを介して電子書籍を購入するのは，例えば，自宅などに居ながらにして所望の書籍が購入できるため，使い勝手がよい
例えば，雑誌Ａの記事ａと雑誌Ｂの記事ｂだけを読みたいと所望するユーザは，雑誌Ａと雑誌Ｂを購入しなくてはならず
【０００６】
　このようなことは，ユーザ（読者）に取っては購入費が高くなり，好ましい状況ではない。また，そのために購買力が低下してしまうと，雑誌を販売している側にとっても好ましい状況ではない。
【０００７】
　また，
電子書籍に限らず，ユーザが読みたい順に記事が並んでいるわけではない
【０００８】
　本発明はこのような状況に鑑みてなされたものであり，
ユーザが読みやすいように記事を並べ，かつ，それらの記事は，ユーザが所望した記事で構成されるようにする
　　
ｂ．「【００５４】
　まず，選択部１０３が行うコンテンツデータの選択について，図１０を参照して説明するに，
ユーザが注文したのが，入力された電子書籍識別情報から雑誌ＡのコンテンツデータＡ１とコンテンツデータＡ５，雑誌ＢのコンテンツデータＢ２，および，雑誌ＣのコンテンツデータＣ１０とコンテンツデータＣ１５の，計５個のコンテンツデータである場合，それらのコンテンツデータが，記憶部５８のコンテンツデータ１１１内から読み出され
【００５５】
　このように，本実施の形態においては，
雑誌単位ではなく，その雑誌内の各コンテンツデータ毎に読み出しが可能にされている。従って，ユーザにコンテンツデータ毎に提供することが可能にされている
【００５６】
　図１１を参照して
ソート部１０４が行うコンテンツデータの並び替えの処理について
【００５７】
　また，
ソート部１０４には，嗜好判断部１０２からユーザの嗜好に関するデータも供給される
嗜好データは，フィルタのような役割をはたし，図中右側に示したコンテンツデータが，嗜好データというフィルタを介すことにより，ユーザの嗜好の高い順に並び替えられる
　　
ｃ．以上のａ及びｂの記載によると，引用例２には以下の技術（以下，「引用例２記載技術」という。）が記載されているものと認められる。
「ネットワークを介して電子書籍を購入するのは，自宅などに居ながらにして所望の書籍が購入できるが，例えば，雑誌Ａの記事ａと雑誌Ｂの記事ｂだけを読みたいと所望するユーザは，雑誌Ａと雑誌Ｂを購入しなくてはならず，また，ユーザが読みたい順に記事が並んでいるわけではないため，ユーザが読みやすいように記事を並べ，かつ，それらの記事は，ユーザが所望した記事で構成されるようにすることを課題とし，
　ユーザが注文したのが，入力された電子書籍識別情報から雑誌ＡのコンテンツデータＡ１とコンテンツデータＡ５，雑誌ＢのコンテンツデータＢ２，および，雑誌ＣのコンテンツデータＣ１０とコンテンツデータＣ１５の，計５個のコンテンツデータである場合，それらのコンテンツデータが，記憶部５８のコンテンツデータ１１１内から読み出され，雑誌単位ではなく，その雑誌内の各コンテンツデータ毎に読み出しが可能にされ，ユーザにコンテンツデータ毎に提供することが可能にされており，
　ソート部１０４が行うコンテンツデータの並び替えの処理は，嗜好判断部１０２からユーザの嗜好に関するデータも供給され，該嗜好データは，フィルタのような役割をはたし，コンテンツデータが，嗜好データというフィルタを介すことにより，ユーザの嗜好の高い順に並び替えられる技術。」
　
イ．対比
　補正発明１と引用発明を対比する。
（ア）補正発明１の「放送若しくは配信されているコンテンツを視聴中のユーザーが当該コンテンツ中で興味を有する箇所において前記情報の取得を指示する指示情報を，少なくとも前記指示がされた年月日及び時刻に対応付けて受け付ける指示受付部」との事項について
　引用発明の「電子機器」における「デジタル放送受信機１１として実現され」及び「テレビモジュール１０１は，放送信号入力端子１０７を介して受信されるテレビジョン放送信号を用いて，放送されているテレビ番組の映像と音声とを出力するテレビ機能を有し」との事項によると，放送されるテレビ番組の映像と音声を出力するものであり，このテレビ番組の映像と音声はコンテンツであるといえる。
　また，引用発明の「電子機器」における「ユーザ操作処理部２０３Ｃは，リモコン受光部１１４によって受信される各種の制御信号に応じて，その制御信号に関連付けられた処理を実行するものであり，放送番組が視聴されている間に（すなわち，テレビ画面が表示されている間に），リモコン受光部１１４によってウェブ検索を示す制御信号が出力されたことに応じて，視聴中の番組に関するウェブ検索が要求されたことを検索指示部２０３Ｂに通知すると共に，ＬＣＤ１０３に表示される画面をテレビ画面からウェブブラウザ画面に切り換えること（すなわち，第１処理から第２処理に切り換えること）を映像処理部２０２に要求するものであり」との事項によると，「ユーザ操作処理部２０３Ｃ」は「リモコン受光部１１４によって受信される各種の制御信号に応じて，その制御信号に関連付けられた処理を実行する」ものであって，「放送番組が視聴されている間に（すなわち，テレビ画面が表示されている間に），リモコン受光部１１４によってウェブ検索を示す制御信号が出力されたことに応じて，視聴中の番組に関するウェブ検索が要求されたことを検索指示部２０３Ｂに通知する」ものであるから，前記「ユーザ操作処理部２０３Ｃ」は，放送番組を視聴中のユーザが視聴中の番組に関するウェブ検索の指示を受け付ける処理を行うものであり，ここでいう放送番組はコンテンツであって，番組に関するウェブ検索の指示は，言い換えると番組すなわちコンテンツに関する情報の取得を指示するものといえる。
　そうすると，補正発明１と引用発明は，
「放送されているコンテンツを視聴中のユーザーが当該コンテンツに関する情報の取得の指示を受け付ける指示受付部」
を備える点で共通し，
　補正発明１では，上記「当該コンテンツに関する情報の取得の指示」について，「ユーザーが当該コンテンツ中で興味を有する箇所において前記情報の取得を指示する指示情報を，少なくとも前記指示がされた年月日及び時刻に対応付けて」いる点において相違する。
　　
（イ）補正発明１の「前記ユーザーが視聴している前記コンテンツを特定する情報であるコンテンツ特定情報を，前記指示受付部が少なくとも前記指示情報を受け付けた前記年月日及び前記時刻に対応づけて取得するコンテンツ特定情報取得部」，「前記指示情報が受け付けられた前記年月日及び前記時刻が対応付けられた前記コンテンツ特定情報により特定される前記コンテンツの内容に関連する情報であるコンテンツ関連情報を取得するコンテンツ関連情報取得部」，及び，「前記コンテンツ関連情報を解析し，前記コンテンツに特徴的な情報である特徴情報を検索クエリとして生成し，生成した前記検索クエリに前記特徴情報の属性情報を対応付ける検索クエリ生成部」との事項について
　引用発明の「電子機器」における「ウェブブラウザモジュール１０２」では，「前記ウェブ検索要求を受信した際に，ＨＴＭＬページ生成部３０１は，視聴中の番組に関連付けられた番組情報の送信を，内部ＬＡＮ接続を介してテレビモジュール１０１（検索指示部２０３Ｂ）に要求し，テレビモジュール１０１によって送信された番組情報を取得し，取得した番組情報をキーワード解析部３０２に出力するものであり，キーワード解析部３０２は，ＨＴＭＬページ生成部３０１によって出力された番組情報を解析することによって，視聴中の番組に関するキーワードを抽出し，ＨＴＭＬページ生成部３０１は，キーワード解析部３０２によって抽出されたキーワードの内の特定のキーワード（第１キーワード）をインターネット検索部３０３に出力し」との処理が行われるものであり，ここでいう「視聴中の番組に関連付けられた番組情報」は「ＥＰＧ情報」であって，「番組（イベント）毎に，開始時刻，番組長，番組名，出演者名，番組のジャンル等」の情報であるから，補正発明１の「前記コンテンツ関連情報」に相当するものである。
　また，引用発明の「ウェブブラウザモジュール１０２」では，「視聴中の番組に関連付けられた番組情報」を解析することによって視聴中の番組に関するキーワードを抽出するものであり，当該抽出されたキーワードは番組の特徴的な情報であるといえることから，補正発明１の「前記コンテンツに特徴的な情報である特徴情報」に相当する。
　また，引用発明の「ウェブブラウザモジュール１０２」では，「キーワード解析部３０２は，ＨＴＭＬページ生成部３０１によって出力された番組情報を解析することによって，視聴中の番組に関するキーワードを抽出し，ＨＴＭＬページ生成部３０１は，キーワード解析部３０２によって抽出されたキーワードの内の特定のキーワード（第１キーワード）をインターネット検索部３０３に出力し，インターネット検索部３０３は，上記の特定のキーワードを検索語として，インターネット上の所定のサーバ装置（ウェブ検索サイト）に送信する」処理を行っており，抽出されたキーワードを検索語，すなわちクエリとしてインターネット上の所定のサーバ装置（ウェブ検索サイト）に送信することから，前記抽出されたキーワードを検索クエリとして生成しているといえる。
　そうすると，補正発明１と引用発明は，
「前記コンテンツ関連情報を解析し，前記コンテンツに特徴的な情報である特徴情報を検索クエリとして生成する検索クエリ生成部」
を備える点で共通し，
　補正発明１では，「前記ユーザーが視聴している前記コンテンツを特定する情報であるコンテンツ特定情報を，前記指示受付部が少なくとも前記指示情報を受け付けた前記年月日及び前記時刻に対応づけて取得するコンテンツ特定情報取得部」，「前記指示情報が受け付けられた前記年月日及び前記時刻が対応付けられた前記コンテンツ特定情報により特定される前記コンテンツの内容に関連する情報であるコンテンツ関連情報を取得するコンテンツ関連情報取得部」を備える点，及び，「検索クエリ生成部」が「生成した前記検索クエリに前記特徴情報の属性情報を対応付ける」点において相違する。
　　
（ウ）補正発明１の「前記属性情報に対応する外部サイトにアクセスし，前記ユーザーが前記指示した時点で前記放送若しくは配信されている前記コンテンツに関連する情報である関連情報を，前記検索クエリを用いて取得する関連情報取得部」との事項について
　引用発明の「電子機器」における「ウェブブラウザモジュール１０２」では，「インターネット検索部３０３は，上記の特定のキーワードを検索語として，インターネット上の所定のサーバ装置（ウェブ検索サイト）に送信することによって，キーワードに関連するウェブサイトの情報（例えば，ウェブサイトのＵＲＬ，ウェブサイト内のテキストの一部）等を含む検索結果を取得し，取得した検索結果をＨＴＭＬページ生成部３０１に出力し」との処理が行われ，視聴中の番組に関するキーワードを検索語として，インターネット上の所定のサーバ装置（ウェブ検索サイト）送信すること，すなわちアクセスすることによって，当該キーワードに関連する情報を検索結果として取得するものであり，ここでのインターネット上の所定のサーバ装置（ウェブ検索サイト）はいわゆる「外部サイト」であり，また，当該キーワードに関連する情報は，視聴中の番組すなわちコンテンツに関連する情報であるといえる。
　そうすると，補正発明１と引用発明は，
「外部サイトにアクセスし，前記放送されている前記コンテンツに関連する情報である関連情報を，前記検索クエリを用いて取得する関連情報取得部」
を備える点で共通し，
　補正発明１では，「外部サイト」が「前記属性情報に対応する外部サイト」である点，及び，「関連情報」が「前記ユーザーが前記指示した時点で前記放送若しくは配信されている前記コンテンツに関連する情報」である点で相違する。
　　
（エ）補正発明１の「前記関連情報取得部が取得した前記関連情報をユーザーが関心を有する複数の群に分類して重み付けする関心領域モデル化部」，「前記関連情報取得部が取得した前記関連情報を，前記複数の群それぞれに対応付けられた重みの順にリストアップする関心情報リスティング部」，及び，「前記リストアップされた前記関連情報を含むリスティング情報を前記ユーザーに供給する供給部」との事項について
　引用発明の「電子機器」における「ウェブブラウザモジュール１０２」では，「インターネット検索部３０３は，上記の特定のキーワードを検索語として，インターネット上の所定のサーバ装置（ウェブ検索サイト）に送信することによって，キーワードに関連するウェブサイトの情報（例えば，ウェブサイトのＵＲＬ，ウェブサイト内のテキストの一部）等を含む検索結果を取得し，取得した検索結果をＨＴＭＬページ生成部３０１に出力し」，及び，「ＨＴＭＬページ生成部３０１は，インターネット検索部３０３によって出力された検索結果を用いて，ウェブページ（以下，検索結果ページとも称する）を生成し，生成された検索結果ページを表示制御部３０５に出力するものであり，表示制御部３０５は，ＨＴＭＬページ生成部３０１によって出力されたウェブページ（検索中ページ，検索結果ページ等）を表示するための外部映像データを生成し，生成された外部映像データをＨＤＭＩ送信部３０６に出力し，ＨＤＭＩ送信部３０６は，表示制御部３０５によって出力された外部映像データを，ＨＤＭＩ端子３０７を介して接続（ＨＤＭＩ接続）されているテレビモジュール１０１（ＨＤＭＩ受信部２０４）に送信し，テレビモジュール１０１では，この外部映像データを用いてＬＣＤ１０３にウェブブラウザ画面が表示され，このウェブブラウザ画面（番組情報検索ページ）６は，例えば，視聴中の番組に対応するＥＰＧ情報に含まれる番組名が表示される番組名エリア６１，当該ＥＰＧ情報に含まれる出演者名のリストが表示される出演者名エリア６２，ウェブ検索に用いられるキーワードが入力されるキーワードエリア６３，及びウェブ検索結果が表示される検索結果エリア６４を含み，当該検索結果エリア６４には複数の検索結果のリストが表示される」との処理が行われ，ここではキーワードに関連するウェブサイトの情報（例えば，ウェブサイトのＵＲＬ，ウェブサイト内のテキストの一部）等を含む検索結果を取得し，複数の検索結果のリストとしてユーザに表示するものであるから，当該複数の検索結果のリストは補正発明１の「リストアップされた前記関連情報を含むリスティング情報」に相当するものである。
　そうすると，補正発明１と引用発明は，
「リストアップされた前記関連情報を含むリスティング情報を前記ユーザーに供給する供給部」
を備える点で共通し，
　補正発明１が「前記関連情報取得部が取得した前記関連情報をユーザーが関心を有する複数の群に分類して重み付けする関心領域モデル化部」，及び，「前記関連情報取得部が取得した前記関連情報を，前記複数の群それぞれに対応付けられた重みの順にリストアップする関心情報リスティング部」を備える点で相違する。
　　
（オ）補正発明１の「コンテンツに関する情報をユーザーに提供する情報提供システム」との事項について
　引用発明は，上記（ア）〜（エ）でも示したように，放送されるテレビ番組であるコンテンツに関する情報をユーザに提供するものであって，「電子機器」以外のユーザが操作するリモコンやインターネット上の所定のサーバ装置（ウェブ検索サイト）も含めて情報提供システムであるといえる。
　そうすると，補正発明１と引用発明は，
「コンテンツに関する情報をユーザーに提供する情報提供システム」
である点で共通する。
     　
（カ）以上の（ア）〜（オ）によると，補正発明１と引用発明は以下の点で一致し，また，相違する。
（一致点）
「コンテンツに関する情報をユーザーに提供する情報提供システムであって，
　放送されているコンテンツを視聴中のユーザーが当該コンテンツに関する情報の取得の指示を受け付ける指示受付部と，
　前記コンテンツ関連情報を解析し，前記コンテンツに特徴的な情報である特徴情報を検索クエリとして生成する検索クエリ生成部と，
　外部サイトにアクセスし，前記放送されている前記コンテンツに関連する情報である関連情報を，前記検索クエリを用いて取得する関連情報取得部と，
　リストアップされた前記関連情報を含むリスティング情報を前記ユーザーに供給する供給部と
　を備える情報提供システム。」
　　
（相違点１）
　「当該コンテンツに関する情報の取得の指示」について，補正発明１では「ユーザーが当該コンテンツ中で興味を有する箇所において前記情報の取得を指示する指示情報を，少なくとも前記指示がされた年月日及び時刻に対応付けて」いるのに対し，引用発明はそのようになっていない点。
　　
（相違点２）
　補正発明１では，「前記ユーザーが視聴している前記コンテンツを特定する情報であるコンテンツ特定情報を，前記指示受付部が少なくとも前記指示情報を受け付けた前記年月日及び前記時刻に対応づけて取得するコンテンツ特定情報取得部」を備えているのに対し，引用発明は備えていない点。
　
（相違点３）
　補正発明１では，「前記指示情報が受け付けられた前記年月日及び前記時刻が対応付けられた前記コンテンツ特定情報により特定される前記コンテンツの内容に関連する情報であるコンテンツ関連情報を取得するコンテンツ関連情報取得部」を備えるているのに対し，引用発明は備えていない点。
  　
（相違点４）
　「検索クエリ生成部」について，補正発明１では「生成した前記検索クエリに前記特徴情報の属性情報を対応付ける」のに対し，引用発明はそのようになっていない点。
（相違点５）
　「外部サイト」について，補正発明１では「前記属性情報に対応する外部サイト」であるのに対し，引用発明はそのようになっていない点。
　
（相違点６）
　「関連情報取得部」について，補正発明１では「関連情報」が「前記ユーザーが前記指示した時点で前記放送若しくは配信されている前記コンテンツに関連する情報」であるのに対し，引用発明はそのようになっていない点。
　
（相違点７）
　補正発明１では，「前記関連情報取得部が取得した前記関連情報をユーザーが関心を有する複数の群に分類して重み付けする関心領域モデル化部」を備えるているのに対し，引用発明は備えていない点。
　
（相違点８）
　補正発明１では，「前記関連情報取得部が取得した前記関連情報を，前記複数の群それぞれに対応付けられた重みの順にリストアップする関心情報リスティング部」を備えているのに対し，引用発明は備えていない点。
　　　　
ウ．判断
　上記相違点１〜８について検討する。
　引用例２における引用例２記載技術は，ネットワークを介して電子書籍を購入する際に，従来は例えば雑誌単位でしか購入できないこと，また，ユーザが読みたい順に記事が並んでいないという課題を解決するために，雑誌に含まれる記事（コンテンツ）単位での購入を可能とし，また，ユーザが購入した複数の記事（コンテンツ）をユーザの嗜好の高い順に並び替えるという技術であり，当該技術の課題からしてそもそも引用発明に適用する動機づけがあるとはいえないし，また，仮に当該技術におけるユーザの嗜好の高い順に並び替えるという技術思想が，上記相違点７及び８に類似するものといえるとしても，上記相違点１〜６については記載も示唆もないから，当該相違点を当業者が容易に想到し得たものということはできない。
　したがって，補正発明１は，引用発明，及び引用例２記載技術に基づいて，当業者が容易に発明をすることができたものとはいえない。
　よって，本件補正の補正事項１〜４は，特許法第１７条の２第６項において準用する同法第１２６条第７項の規定に適合する。
　
（２）請求項８について
　本件補正による補正事項５は，請求項８に記載した発明を特定するために必要な事項である「コンテンツ」について，明細書の第【００２０】段落等の記載に基づき「放送若しくは配信されている」ものであるとの限定を付加するものである。
　また，本件補正による補正事項６は，請求項８に記載した発明を特定するために必要な事項である「年月日，及び時刻」及び「前記年月日，及び前記時刻」について，明細書の第【００３２】，【００３３】，【００３５】，【００３６】段落等の記載に基づき，上記「年月日」と「時刻」が共に必須の構成であるとして「年月日及び時刻」及び「前記年月日及び前記時刻」と限定するものである。
　また，本件補正による補正事項７は，請求項８に記載した発明を特定するために必要な事項である「前記指示情報に応じ，前記年月日，及び前記時刻に対応する前記コンテンツ特定情報」について，明細書の第【００４２】段落等の記載及び上記補正事項６の補正の根拠に基づき「前記指示情報が受け付けられた前記年月日及び前記時刻が対応付けられた前記コンテンツ特定情報」と限定するものである。
　また，本件補正による補正事項８は，請求項８に記載した発明を特定するために必要な事項である「前記検索クエリを用いて前記指示された時点における前記コンテンツに関連する情報である関連情報を取得する」について，明細書の第【００４７】段落等の記載及び上記補正事項５の補正の根拠に基づき「前記ユーザーが前記指示した時点で前記放送若しくは配信されている前記コンテンツに関連する情報である関連情報を，前記検索クエリを用いて取得する」と限定するものである。
　そして，本件補正前の請求項８に記載された発明と本件補正後の請求項８に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項８に記載された発明（以下，「補正発明８」という。）が特許法第１７条の２第６項において準用する同法第１２６条第７項の規定に適合するか（特許出願の際独立して特許を受けることができるものであるか）について以下に検討する。
ア．引用例
　上記第２．３．（１）ア．に示したとおりである。
   　
イ．対比
　補正発明８と引用発明を対比する。
　補正発明８は「情報提供サーバー」であって，実質的に補正発明１の「情報提供システム」の構成をサーバーの構成としたものであることを考慮して対比すると，補正発明１と同様に前記相違点１〜８の点で相違するものである。
　
ウ．判断
　上記相違点について検討する。
　上記相違点については，補正発明１と同様の相違点であり，前記第２．３．（１）ウ．で示したように，引用例２記載技術を検討しても，上記相違点を当業者が容易に想到し得たものということはできない。
　したがって，補正発明８は，引用発明，及び引用例２記載技術に基づいて，当業者が容易に発明をすることができたものとはいえない。
　よって，本件補正の補正事項５〜８は，特許法第１７条の２第６項において準用する同法第１２６条第７項の規定に適合する。
　
（３）請求項９について
　本件補正による補正事項９は，請求項９に記載した発明を特定するために必要な事項である「コンテンツ」について，明細書の第【００２０】段落等の記載に基づき「放送若しくは配信されている」ものであるとの限定を付加するものである。
　また，本件補正による補正事項１０は，請求項９に記載した発明を特定するために必要な事項である「年月日，及び時刻」及び「前記年月日，及び前記時刻」について，明細書の第【００３２】，【００３３】，【００３５】，【００３６】段落等の記載に基づき，上記「年月日」と「時刻」が共に必須の構成であるとして「年月日及び時刻」及び「前記年月日及び前記時刻」と限定するものである。
　また，本件補正による補正事項１１は，請求項９に記載した発明を特定するために必要な事項である「前記指示情報に応じ，前記年月日，及び前記時刻に対応する前記コンテンツ特定情報」について，明細書の第【００４２】段落等の記載及び上記補正事項１０の補正の根拠に基づき「前記指示情報が受け付けられた前記年月日及び前記時刻が対応付けられた前記コンテンツ特定情報」と限定するものである。
　また，本件補正による補正事項１２は，請求項９に記載した発明を特定するために必要な事項である「前記検索クエリを用いて前記指示された時点における前記コンテンツに関連する情報である関連情報を取得する」について，明細書の第【００４７】段落等の記載及び上記補正事項９の補正の根拠に基づき「前記ユーザーが前記指示した時点で前記放送若しくは配信されている前記コンテンツに関連する情報である関連情報を，前記検索クエリを用いて取得する」と限定するものである。
　そして，本件補正前の請求項９に記載された発明と本件補正後の請求項９に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項９に記載された発明（以下，「補正発明９」という。）が特許法第１７条の２第６項において準用する同法第１２６条第７項の規定に適合するか（特許出願の際独立して特許を受けることができるものであるか）について以下に検討する。
ア．引用例
　上記第２．３．（１）ア．に示したとおりである。
   　
イ．対比
　補正発明９と引用発明を対比する。
　補正発明９は「情報提供方法」であって，実質的に補正発明１の「情報提供システム」における各処理部による処理ステップを「情報提供方法」としたものであることを考慮して対比すると，補正発明１と同様に前記相違点１〜８の点で相違するものである。
　
ウ．判断
　上記相違点について検討する。
　上記相違点については，補正発明１と同様の相違点であり，前記第２．３．（１）ウ．で示したように，引用例２記載技術を検討しても，上記相違点を当業者が容易に想到し得たものということはできない。
　したがって，補正発明９は，引用発明，及び引用例２記載技術に基づいて，当業者が容易に発明をすることができたものとはいえない。
　よって，本件補正の補正事項９〜１２は，特許法第１７条の２第６項において準用する同法第１２６条第７項の規定に適合する。
  　
（４）請求項１０について
　本件補正による補正事項１３は，請求項１０に記載した発明を特定するために必要な事項である「コンテンツ」について，明細書の第【００２０】段落等の記載に基づき「放送若しくは配信されている」ものであるとの限定を付加するものである。
　また，本件補正による補正事項１４は，請求項１０に記載した発明を特定するために必要な事項である「年月日，及び時刻」及び「前記年月日，及び前記時刻」について，明細書の第【００３２】，【００３３】，【００３５】，【００３６】段落等の記載に基づき，上記「年月日」と「時刻」が共に必須の構成であるとして「年月日及び時刻」及び「前記年月日及び前記時刻」と限定するものである。
　また，本件補正による補正事項１５は，請求項１０に記載した発明を特定するために必要な事項である「前記指示情報に応じ，前記年月日，及び前記時刻に対応する前記コンテンツ特定情報」について，明細書の第【００４２】段落等の記載及び上記補正事項１４の補正の根拠に基づき「前記指示情報が受け付けられた前記年月日及び前記時刻が対応付けられた前記コンテンツ特定情報」と限定するものである。
　また，本件補正による補正事項１６は，請求項１０に記載した発明を特定するために必要な事項である「前記検索クエリを用いて前記指示された時点における前記コンテンツに関連する情報である関連情報を取得する」について，明細書の第【００４７】段落等の記載及び上記補正事項１３の補正の根拠に基づき「前記ユーザーが前記指示した時点で前記放送若しくは配信されている前記コンテンツに関連する情報である関連情報を，前記検索クエリを用いて取得する」と限定するものである。
　そして，本件補正前の請求項１０に記載された発明と本件補正後の請求項１０に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項１０に記載された発明（以下，「補正発明１０」という。）が特許法第１７条の２第６項において準用する同法第１２６条第７項の規定に適合するか（特許出願の際独立して特許を受けることができるものであるか）について以下に検討する。
ア．引用例
　上記第２．３．（１）ア．に示したとおりである。
   　
イ．対比
　補正発明１０と引用発明を対比する。
　補正発明１０は「情報提供システム用のプログラム」であって，実質的に補正発明１の「情報提供システム」における各処理部による処理を「プログラム」としたものであることを考慮して対比すると，補正発明１と同様に前記相違点１〜８の点で相違するものである。
　
ウ．判断
　上記相違点について検討する。
　上記相違点については，補正発明１と同様の相違点であり，前記第２．３．（１）ウ．で示したように，引用例２記載技術を検討しても，上記相違点を当業者が容易に想到し得たものということはできない。
　したがって，補正発明１０は，引用発明，及び引用例２記載技術に基づいて，当業者が容易に発明をすることができたものとはいえない。
　よって，本件補正の補正事項１３〜１６は，特許法第１７条の２第６項において準用する同法第１２６条第７項の規定に適合する。
    　
４．むすび
　以上のとおりであるから，本件補正は，特許法第１７条の２第３項ないし第６項の規定に適合する。
  　
第３．本願発明
　本件補正は，上記のとおり，特許法第１７条の２第３項ないし第６項の規定に適合するから，本願の請求項１−１０に係る発明は，本件補正により補正された特許請求の範囲の請求項１−１０に記載された事項により特定されるとおりのものである。
　そして，本件補正により補正された請求項１に係る発明（補正発明１），請求項８に係る発明（補正発明８），請求項９に係る発明（補正発明９），請求項１０に係る発明（補正発明１０）は，上記第２．３．のとおり，当業者が引用発明，及び引用例２記載技術に基づいて容易に発明をすることができたものではない。
　また，請求項１を直接または間接的に引用する請求項２−７は，補正発明１をさらに限定した発明であるから，同様に当業者が引用発明，及び引用例２記載技術に基づいて容易に発明をすることができたものではない。
　したがって，本願については，原査定の拒絶理由を検討してもその理由によって拒絶すべきものとすることはできない。
　また，他に本願を拒絶すべき理由を発見しない。
　　
　よって，結論のとおり審決する。